(57)【要約】      （修正有）【課題】製造が容易であり、傾いた状態で立脚させることで、使用しやすく、かつ持ち運びも可能な収納容器を提供する。【解決手段】上方が開口した本体箱10と、本体箱10の外周に設けられた四角枠上の移動体20と、本体箱10と移動体20とを連結する連結体30とからなる収納容器1において、連結体30に、連結体ヒンジ部31と、本体箱10との固定部分に本体ヒンジ部34と、移動体20との固定部分に移動体ヒンジ部35とを設けることで、移動体20を底面板11方向に移動させた際に、連結体30がその途中の連結体ヒンジ部31で折れ曲がることで、連結体30が収納容器1を支えるスタンドになる。【選択図】図１
2016047727.tif 000002
【特許請求の範囲】
【請求項１】
底面板と、該底面板の前後両端に立設された前面板と、背面板と、前記底面板の左右に立設された左側板と、右側板とを有し上方が開口している本体箱と、
前記本体箱の外周に設けられ、本体箱の外周をスライド可能な四角枠状に形成され、本体箱の前面板、背面板、右側板、左側板に対応する、移動体前面板、移動体背面板、移動体右側板、移動体左側板を有する移動体と、
一端が前記移動体の移動体前面板または移動体背面板に固定され、他端が移動体の移動体前面板または移動体背面板に対応する前記本体箱の底面板の一辺に固定される連結体と、を有する収納容器であって、
前記連結体は、その中間部分に設けられた連結体ヒンジ部と、該連結体ヒンジ部を境に本体箱側に設けられた水平板と、移動体側に設けられた傾斜板と、該水平板の前記本体箱との固定部に設けられた本体ヒンジ部と、該傾斜板の前記移動体との固定部に設けられた移動体ヒンジ部とを有し、
前記移動体を前記底板方向に移動させると、前記連結体ヒンジ部が背面板から離れる方向に移動し、
前記移動体を更に底面板方向に移動させると、前記連結体ヒンジ部が背面板から離れるように前記連結体が曲がり、前記水平板と傾斜板とによって、収納容器を傾いた状態で立脚させられることを特徴とする収納容器。
【請求項２】
前記連結体の一端が前記移動体背面板に固定され、他端が該移動体背面板に対応する前記底面板の一辺に固定されている際に、
前記本体箱の左側板及び右側板の形状は、前記背面板と接する辺と前記底面板と接する辺とによって形成される角度が鈍角αとなり、かつ、前記背面板と接する辺及び前記前面板と接する辺が平行となる四角形であり、
前記移動体を底面板方向に移動させ、収納容器を傾いた状態で立脚させた際に、前記本体ヒンジ部を支点に前記連結体の水平板と前記本体箱の背面板とで作られ、前記連結体の傾斜板と対向する角度を角度βとすると、
該角度βと前記鈍角αとの関係が「鈍角α＋角度β≦１８０度」であることを特徴とする請求項１記載の収納容器。
【請求項３】
前記連結体の一端が前記移動体前面板に固定され、他端が該移動体前面板に対応する前記底面板の一辺に固定されている際に、
前記本体箱の左側板及び右側板の形状は、前記前面板と接する辺と前記底面板と接する辺とによって形成される角度が鈍角αとなり、かつ、前記前面板と接する辺及び前記前面板と接する辺が平行となる四角形であり、
前記移動体を底面板方向に移動させ、収納容器を傾いた状態で立脚させた際に、前記本体ヒンジ部を支点に前記連結体の水平板と前記本体箱の前面板とで作られ、前記連結体の傾斜板と対向する角度を角度βとすると、
該角度βと前記鈍角αとの関係が「鈍角α＋角度β≦１８０度」であることを特徴とする請求項１記載の収納容器。
【請求項４】
前記移動体前面板又は移動体背面板は、その上下方向の途中から下方向に向かって切り欠かれており、
この切り欠きを切欠とすると、当該切欠に当該切欠と同じ形状をした傾斜板が位置し、
傾斜板の下端に連続するように水平板が設けられており、
前記移動体前面板又は移動体背面板と傾斜板と水平板とが一直線上になった時に、前記移動体前面板又は移動体背面板と傾斜板と水平板とで形成される面の形状と、移動体前面板または移動体背面板に対応する前面板又は背面板の面の形状とが略同じ形状となることを特徴とする請求項１、請求項２又は請求項３記載の収納容器。
【発明の詳細な説明】
【技術分野】
【０００１】
本発明は、収納容器に関するものである。
【背景技術】
【０００２】
従来、様々な日常用品（例えば、筆記用具や化粧道具など）において、携帯用と、自宅やオフィスなどに置いておく、据え置き用と、両方を持つ人が多くいた。
しかし、据え置き用として、立てて使用することもでき、携帯用として、コンパクトに持ち運びをすることもできる収納容器があれば、内部に収納する収納体を複数購入する必要がなくなり、経済的である。
そこで、例えば、特許文献１のように、ペン立てとしても利用することのできるペンケースが開発されている。
【先行技術文献】
【特許文献】
【０００３】
【特許文献１】特許第４６１７５９７号
【発明の概要】
【発明が解決しようとする課題】
【０００４】
しかしながら、特許文献１のペンケースは、開閉手段としてチャックを使用しているために、製造に手間がかかっていた。
本発明は、板状の素材を用いるので製造が容易であり、使用時には傾いた状態で立脚させるので使用しやすく、かつ持ち運びも可能な収納容器を提供することを課題とする。
【課題を解決するための手段】
【０００５】
以下の説明において、発明の対象が収納容器であることから、使用者側の面を前面として説明する。
（第1の発明）
上記課題を達するため、本願における第１の発明は、底面板11と、該底面板11の前後両端に立設された前面板12と、背面板13と、前記底面板11の左右に立設された左側板14と、右側板15とを有し、上方が開口している本体箱10と、
前記本体箱10の外周に設けられ、本体箱10の外周をスライド可能な四角枠状に形成され、本体箱10の前面板12、背面板13、左側板14、右側板15に対応する、移動体前面板21、移動体背面板22、移動体左側板23、移動体右側板24を有する移動体20と、
一端が前記移動体20の移動体前面板21または移動体背面板22に固定され、他端が移動体20の移動体前面板21または移動体背面板22に対応する前記本体箱10の底面板11の一辺に固定される連結体30と、を有する収納容器1において、
前記連結体30は、その中間部分に設けられた連結体ヒンジ部31と、該連結体ヒンジ部31を境に本体箱10側に設けられた水平板32と、移動体20側に設けられた傾斜板33と、該水平板32の前記本体箱10との固定部に設けられた本体ヒンジ部34と、該傾斜板33の前記移動体20との固定部に設けられた移動体ヒンジ部35とを有し、
前記移動体20を前記底面板11方向に移動させると、前記連結体ヒンジ部31が背面板13から離れる方向に移動し、
前記移動体20を更に底面板11方向に移動させると、前記連結体ヒンジ部31が背面板13から離れるように前記連結体30が曲がり、前記水平板32と傾斜板33とによって、収納容器1を傾いた状態で立脚させられることを特徴とする。
【０００６】
なお、本発明において、前面板12の上端から下端に向かう方向を「下方向」、背面板13から前面板12に向かう方向を「前方向」とする。
ここで、収納容器1の材質は、紙、合成樹脂又は金属等のように形を保つことの出来る程度の硬度を有するものであればよく、収納容器1を構成する各部材についても、それぞれが異なる材質で構成されてもよい。
また、連結体ヒンジ部31、本体ヒンジ部34及び移動体ヒンジ部35は、材質によってはそれぞれ、蝶番を使用してもよいし、折り曲げ可能な部材を用いて一体成形してもよい。
【０００７】
（第２の発明）
本願における第２の発明は、第１の発明に加え、前記連結体30の一端が前記移動体背面板22に固定され、他端が該移動体背面板22に対応する前記底面板11の一辺に固定されている際に、
前記本体箱10の左側板14及び右側板15の形状は、前記背面板13と接する辺と前記底面板11と接する辺とによって形成される角度が鈍角αとなり、かつ、前記背面板13と接する辺及び前記前面板12と接する辺が平行となる四角形であり、
前記移動体20を底面板11方向に移動させ、収納容器1を傾いた状態で立脚させた際に、前記本体ヒンジ部34を支点に前記連結体30の水平板32と前記本体箱10の背面板13とで作られ、前記連結体30の傾斜板33と対向する角度を角度βとすると、
該角度βと前記鈍角αとの関係が「鈍角α＋角度β≦１８０度」であることを特徴とする。
【０００８】
（第３の発明）
本願における第３の発明は、第１の発明に加え、前記連結体30の一端が前記移動体前面板21に固定され、他端が該移動体前面板21に対応する前記底面板11の一辺に固定されている際に、
前記本体箱10の左側板14及び右側板15の形状は、前記前面板12と接する辺と前記底面板11と接する辺とによって形成される角度が鈍角αとなり、かつ、前記前面板12と接する辺及び前記背面板13と接する辺が平行となる四角形であり、
前記移動体20を底面板11方向に移動させ、収納容器1を傾いた状態で立脚させた際に、前記本体ヒンジ部34を支点に前記連結体30の水平板32と前記本体箱10の前面板12とで作られ、前記連結体30の傾斜板33と対向する角度を角度βとすると、
該角度βと前記鈍角αとの関係が「鈍角α＋角度β≦１８０度」であることを特徴とする。
【０００９】
（第４の発明）
本願における第４の発明は第１、第２又は第３の発明に加え、前記移動体前面板21又は移動体背面板22は、その上下方向の途中から下方向に向かって切り欠かれており、
この切り欠きを切欠27とすると、当該切欠27に当該切欠27と同じ形状をした傾斜板33が位置し、
傾斜板33の下端に連続するように水平板32が設けられており、
前記移動体前面板21又は移動体背面板22と傾斜板33と水平板32とが一直線上になった時に、前記移動体前面板21又は移動体背面板22と傾斜板33と水平板32とで形成される面の形状と、移動体前面板21または移動体背面板22に対応する前面板12又は背面板13の面の形状とが略同じ形状となることを特徴とする。
【発明の効果】
【００１０】
本発明は、以上のように構成されているので、以下に記載されるような効果を奏する。
第１の発明による効果は、移動体を底面板方向に移動させることで、連結体はその途中の連結体ヒンジ部で曲がり、傾斜板がスタンドの役割を果たすことで、収納容器を傾斜させた状態で立脚させることができる。
また、第２の発明による効果は、「鈍角α＋角度β≦１８０度」となるため、移動体を底面板方向に移動させ、収納容器を立脚させた際に、より安定した形状となる。特に、「鈍角α＋角度β＝１８０度」のとき、水平板と本体箱の底面板とが一直線になるため、水平板と底面板とが土台となり、傾斜板がスタンドの役割を果たすため、しっかりと収納容器を支えることができる。また、「鈍角α＋角度β＜１８０度」となる際は、安定した状態で立脚させることができる場合は使用が可能である。
【００１１】
第３の発明は、第２の発明の手前方向を逆にした発明である。即ち、第２の発明では、収納容器が手前から奥方向に傾斜するようにしたが、第３の発明では、奥から手前方向に傾斜するようにしたものである。第２の発明では、収納体の側面を見ることができるし、第３の発明のようにすると、収納体の頭部を見ることができる。
加えて、第４の発明による効果は、移動体を上方向に移動させ、連結体を直線状にした際に、移動体前面板又は移動体背面板と連結体とで作られる面が凹凸の少ない滑らかな面となり、移動体を上方向に移動させた際に、収納容器の一面が滑らかで、コンパクトな形状となる。
【図面の簡単な説明】
【００１２】
【図１】収納容器の移動体を底面板方向に移動させた際の斜視図（Ａ）及び右側面図（Ｂ）。
【図２】収納容器の移動体を上方向に移動させ、蓋を開けた際の斜視図（Ａ）及び蓋を閉じた際の斜視図（Ｂ）。
【図３】本体箱の斜視図（Ａ）及び本体箱の展開図（Ｂ）。
【図４】移動体の斜視図（Ａ）及び移動体の展開図（Ｂ）。
【図５】本実施形態における連結体の展開図（Ａ）及び変形例における連結体の展開図（Ｂ）。
【図６】収納容器を一体成形する際の展開図。
【図７】変形例における連結体の展開図（Ａ）、本体ヒンジ部で折り曲げた際の右側面図（Ｂ）及びヒンジ部で折り曲げた際の右側面図（Ｃ）。
【図８】連結体が移動体前面板に固定されている収納容器の右側面図。
【発明を実施するための形態】
【００１３】
（収納容器1）
図１（Ａ）及び（Ｂ）に示すように、本発明に係る紙製の収納容器1は、上方を開口した本体箱10と、本体箱10の外周に設けられ、本体箱10の外周を上下に移動可能な四角枠状の移動体20と、前記本体箱10と移動体20とを連結させる連結体30とからなる。
図１（Ｂ）及び図５（Ａ）に示すように、連結体30は、上端から略１／２の位置に設けられた連結体ヒンジ部31と、該連結体ヒンジ部31を境に本体箱10側に設けられた水平板32と、移動体20側に設けられた傾斜板33と、該水平板32の本体箱10との固定部に設けられた本体ヒンジ部34と、該傾斜板33の移動体20との固定部に設けられた移動体ヒンジ部35とからなる。
【００１４】
連結体ヒンジ部31、本体ヒンジ部34及び移動体ヒンジ部35で連結体30は折れ曲がることができるため、移動体20を底面側に移動させることができ、この移動体20の上下移動によって、収納容器1の形状を変形させることができる。
なお、本実施の形態において、収納容器1の材質は、紙製としたが合成樹脂又は金属等の形を保つことの出来る程度の硬度を有するものであればよく、収納容器1を構成する各部材についても、それぞれが異なる材質で構成されてもよい。
（本体箱10）
図３（Ａ）及び（Ｂ）に示すように、本体箱10は、底面板11と、該底面板11の前後両端に立設された前面板12と、背面板13と、前記底面板11の左右に立設された左側板14と、右側板15とからなり、上方は開口している。ここで、前記開口部分を開口部16とする。
【００１５】
前面板12には、上端から約１／２よりわずかに下方向まで、上端が長辺の等脚台形状の取り出し口17が欠設されている。
また、左側板14及び右側板15は、底面板11と接する辺と背面板13と接する辺とで形成される角度が鈍角αで、上端縁に位置する辺とこの辺に対向する下端縁の辺とが平行で、前面板12と接する辺と背面板13と接する辺とが平行であることから、左側板14及び右側板15は全体として平行四辺形となっている。
（移動体20）
図４（Ａ）及び（Ｂ）に示すように、移動体20は、本体箱10の前面板12と重なるように設けられた面を移動体前面板21とすると、移動体前面板21の左右に立設された移動体左側板23と、移動体右側板24と、移動体前面板21に対向し、移動体左側板23及び移動体右側板24に連設する移動体背面板22と、移動体背面板22の上端に連設された蓋板25と、蓋板25の上端に連設された開閉板26とからなる。
【００１６】
図２に示すように、移動体20が本体箱10の上部に位置し、連結体30が直線状のとき、蓋板25によって本体箱10の開口部16が閉じられ、移動体前面板21によって、本体箱10の取り出し口17が閉じられる。また、蓋板25を外れにくくするため、開閉板26と移動体前面板21とが重なる部位には、Ｎ極磁石28及びＳ極磁石29が設けられ、開閉板26と移動体前面板21とが着脱可能に止められている。なお、Ｎ極磁石28及びＳ極磁石29は開閉板26及び移動体前面板21のどちらに設けられていてもよい。また、磁石でなくとも面ファスナー、スナップ等の着脱可能なものであれば代用可能である。
【００１７】
移動体左側板23及び移動体右側板24は、四方に設けられた角度が、対応する本体箱10の左側板14及び右側板15の角度と同じとなる平行四辺形の形をしている。
また、移動体背面板22には、連結体30の傾斜板33と同じ形状に切り欠かれた切欠27が欠設されており、該切欠27の上端が傾斜板33の移動体ヒンジ部35と連結している。
（連結体30）
図１（Ｂ）及び図５（Ａ）に示すように、連結体30は、上から順に説明すると、移動体ヒンジ部35、傾斜板33、連結体ヒンジ部31、水平板32及び本体ヒンジ部34からなる。連結体30は、上端に設けられた移動体ヒンジ部35で移動体20の後方に設けられた移動体背面板22の切欠27の上端に位置する一辺に連結され、下端に設けられた本体ヒンジ部34で本体箱10の底面板11と背面板13とが接する一辺に連結される。
【００１８】
また、傾斜板33の上下方向の長さは、水平板32と略同じ長さとなる。
更に、収納容器1を傾いた状態で立脚させた際に、本体ヒンジ部34を支点に連結体30の水平板32と本体箱10の背面板13とで作られ、連結体30の傾斜板33と対向する角度を角度βとすると、該角度βと前記鈍角αとは、「鈍角α＋角度β＝１８０度」の関係となる。
（携帯容器から据え起き容器への動き）
前述のように形成された収納容器1は、図２（Ｂ）に示すような、側面のうち２面が平行四辺形であり、他４面が長方形の平行六面体であるコンパクトな形状から、図１に示すような、収納容器1を傾斜した状態で立脚させた形状に、変形できる。
【００１９】
図２（Ａ）及び（Ｂ）に示すように、平行六面体の形状の際は、移動体背面板22、傾斜板33及び水平板32が直線状になるように、移動体ヒンジ部35、連結体ヒンジ部31及び本体ヒンジ部34は背面板13に沿って直線状になる。このとき、移動体20は移動体背面板22の上端に位置する辺が、本体箱10の背面板13の上端に位置する辺と略重なり、移動体前面板21によって、本体箱10の取り出し口17が覆われる。また、蓋板25で開口部16を覆い、更に、開閉板26及び移動体前面板21のＮ極磁石28及びＳ極磁石29で止めることで収納容器1を閉めることができる。
【００２０】
平行六面体の形状から、傾斜した形状に変形するためには、まず、図２（Ｂ）に示すように、Ｎ極磁石28及びＳ極磁石29で止められている開閉板26を、図２（Ａ）に示すように移動体前面板21から外す。その後、本体ヒンジ部34及び移動体ヒンジ部35を折り曲げ、連結体ヒンジ部31を背面板13から離れるようにしながら、移動体20を底面板11方向に移動させる。このとき、移動体20を、移動体背面板22の下端に位置する辺が、本体箱10の背面板13の下端に位置する辺に略達するまで移動させる。すると、図１（Ｂ）に示すように、連結体30の水平板32と本体箱10の底面板11とが同一平面上に位置しているようになる。よって、収納容器１は水平板32と本体箱10の底面板11とを土台にして、連結体ヒンジ部31と移動体ヒンジ部35とを支点にさせて、傾斜板33によって、傾斜した状態で支えられる形状になる。また、このとき、図１（Ａ）に示すように、移動体20を底面板11方向に移動されることで、本体箱10の取り出し口17を覆っていた移動体前面板21が外される。
【００２１】
一方、傾斜した形状から、平行六面体の形状に変形させるには、前述とは逆に、連結体ヒンジ部31、移動体ヒンジ部35及び本体ヒンジ部34が直線状に位置するように移動体20を上方向に移動させる。次に、移動体背面板22の上端に位置する辺が、本体箱10の背面板13の上端に位置する辺まで移動体20を移動させたら、蓋板25で開口部16を覆い、開閉板26をＮ極磁石28及びＳ極磁石29により移動体前面板21に止めることで変形できる。
（作用）
前述のように構成される収納容器１は、図１に示すように、収納容器1を傾斜した状態で立脚させることもできるし、図２に示すように、コンパクトな略平行六面体の形状にもできる。そのため、机上で使用する際には、傾斜した状態で立てて使用することもでき、持ち運ぶ際には、略平行六面体の形状にして使用することもできる。傾斜した状態で立脚させることができるため、収納されているものが見やすく、かつ取り出し易い。もちろん、図２（Ａ）に示すように、略平行六面体の形状をしたまま、開閉板26を移動体前面板21から外し、蓋板25を外して使用することもできる。
【００２２】
また、左側板14と右側板15とは平行四辺形であり、角度αと鈍角βとが「角度α＋鈍角β＝１８０度」となるため、収納容器1を傾斜させた状態で立脚させた際に、水平板32と底面板11とが直線状になるため、より安定した状態で立脚させることができる。
更に、移動体背面板22には、傾斜板33と同じ形状をした切欠27があり、移動体背面板22の上下方向の長さと、水平板32の上下方向の長さとを足した長さが、本体箱10の背面板13の上下方向の長さと等しくなるため、コンパクトな略平行六面体の形状の際に、収納容器1の後方面が滑らかになる。
【００２３】
（変形例）
なお、本発明は、前記実施形態に限定されるものではなく、本発明の目的を達成できる範囲における変形及び改良などをも含むものである。
変形例としては、成形方法と、本体箱10の形状と、移動体20の形状と、連結体30の形状とがそれぞれ異なる場合、及び使用の形態が異なる場合が挙げられる。
（成形方法）
収納容器1の成形方法は、図３、図４及び図５（Ａ）に示す、本体箱10、移動体20及び連結体30を別々に作成し、３つの部材を作成した後に、本体ヒンジ部34と移動体ヒンジ部35とで３つの部材を連結することとして説明したが、図６に示すように、折り曲げ可能な部材を用いて、一体成形をしてもよい。一体成形をする際は、まず、本体箱10の底面板11に、背面板13、左側板14及び右側板15をつなげる。作成した本体箱10の周囲を覆うようにして移動体20と連結体30とを構成する部位を折り曲げていき、最後に移動体20の移動体背面板22と移動体右側板24とをつなげることで収納容器1が成形される。
【００２４】
また、移動体20と連結体30とを一体成形させ、別体として成形された本体箱10の底面板11と背面板13とで構成される辺に一体成形させた移動体20と連結体30とを本体ヒンジ部34で連結させて成形してもよい。
更に、底面板11等の各部材を一つずつ連結させて作成することも可能であり、使用する部材に合わせて成形方法を選択することができる。
（本体箱10の形状）
本実施形態においては、傾斜させて立脚させた際に、「鈍角α＋角度β＝１８０度」の関係が成り立つとしたが、「鈍角α＋角度β＜１８０度」となっても、倒れなければ使用できる。またこの収納容器1は、傾斜した状態で立脚させるため、補助として、本体箱10と移動体20との間に図示しない系止部を設けることで、移動体20を動かないようにし、水平板32と傾斜板33とを固定してもよい。
【００２５】
また、本体箱10の左側板14及び右側板15の形状が、「鈍角α＋角度β＜１８０度」となるように成形し、移動体左側板23及び移動体右側板24の下端に位置する辺と、移動体背面板22と接する辺とで形成される角度γ（図４参照）が鈍角で、「角度β＋角度γ＝１８０度」となるように成形することで、移動体20の移動体前面板21の下端に位置する辺と、水平板32と、傾斜板33とで収納容器1を支えてもよい。
更に、本体箱10の左側板14及び右側板15の形状を平行四辺形としたが、前面板12と接する辺と背面板13と接する辺とが平行であればよく、図８に示すように、上端の辺と下端の辺とが平行でなくともよい。
【００２６】
また、本実施の形態においては、図１（Ａ）に示すように、本体箱10の前面板12にのみ取り出し口17を設けることとしたが、本体箱10の背面板13にも取り出し口17を設け、図１（Ｂ）の右側からも使用できるようにすることもできる。
（移動体20の形状）
本実施形態においては、移動体左側板23及び移動体右側板24の形状は四隅の角度が対応する本体箱10の四隅の角度と等しい平行四辺形としたが、本体箱10の左側板14及び右側板15と同様に、鈍角γ（図４参照）が「角度β＋鈍角γ≦１８０度」であり、移動体前面板21と接する辺と移動体背面板22と接する辺とが平行であればよく、上端の辺と下端の辺とが必ずしも平行である必要はない。
【００２７】
また、本実施形態においては、移動体背面板22には傾斜板33と同じ形状の切欠27が欠設されているが、切り欠かずに、移動体ヒンジ部35として蝶番等を用いて移動体背面板22の面上に連結体30を連結してもよい。
（連結体30の形状）
図５（Ａ）に示すように、本実施の形態においては、連結体30の形状は、長方形形状の水平板32の上端に位置する辺に、等脚台形状の傾斜板33の長辺側を連結させた形状としたが、異なる形状であっても問題はない。
【００２８】
例えば、図５（Ｂ）のように、傾斜板33の形状を水平板32の上端に位置する辺と同じ長さの長方形にしてもよい。
また、図７（Ａ）、（Ｂ）及び（Ｃ）のように水平板32に連結体ヒンジ部31とは異なるヒンジ部36を設け、角度βを変え、使用者の使いやすい角度に調整可能にしてもよい。
（使用の形態）
以上の説明において、収納容器1の立脚時、収納容器1が手前から奥方向に傾斜するようにしたが、図８に示すように、奥から手前方向に傾斜するようにしてもよい。なお、このときは、図面左側から収納物の出し入れを行うものである。
【００２９】
なお、使用者側の面を前面として説明すると、本実施形態においては、図８に示すように、連結体30の一端が前記移動体前面板21に固定され、他端が該移動体前面板21に対応する前記底面板11の一辺に固定される。また、蓋板25は移動体前面板21に連設することとなる。なお、本体箱10の左側板14及び右側板15の前面板12と接する辺と底面板11と接する辺とによって形成される角度が鈍角αとなる。また、移動体20を底面板11方向に移動させ、収納容器1を傾いた状態で立脚させた際に、本体ヒンジ部34を支点に連結体30の水平板32と本体箱10の前面板12とで作られ、連結体30の傾斜板33と対向する角度が角度βである。
【００３０】
収納容器1の立脚時、図１（Ｂ）に示すように、収納容器1を手前から奥方向に傾斜させると、収納体の側面を見ることができるし、図８に示すように、収納容器1を奥から手前方向に傾斜させると、収納体の頭部を見ることができる。
【産業上の利用可能性】
【００３１】
本発明は、収納容器として、筆箱、眼鏡ケース、化粧道具入れ等、様々な容器として利用することができる。
【符号の説明】
【００３２】
1  収納容器                            10  本体箱
11  底面板                              12  前面板
13  背面板                              14  左側板
15  右側板                              16  開口部
17  取り出し口                          20  移動体
21  移動体前面板                        22  移動体背面板
23  移動体左側板                        24  移動体右側板
25  蓋板                                26  開閉板
27  切欠                                28  Ｎ極磁石
29  Ｓ極磁石                            30  連結体
31  連結体ヒンジ部                      32  水平板
33  傾斜板                              34  本体ヒンジ部
35  移動体ヒンジ部                      36  ヒンジ部
【図１】
2016047727.tif 000003
【図２】
2016047727.tif 000004
【図３】
2016047727.tif 000005
【図４】
2016047727.tif 000006
【図５】
2016047727.tif 000007
【図６】
2016047727.tif 000008
【図７】
2016047727.tif 000009
【図８】
2016047727.tif 000010